(57)【要約】【課題】玄関ユニットが集合住宅の各住戸に設けられることに着目し、玄関ユニットを利用して集合住宅の共用部に設置される電気機器を遠隔操作可能にすること、そして、新たな電気機器を増設した場合や、電気機器の位置を変更した場合にも容易に対応できるようにすること。【解決手段】集合住宅の住戸の玄関ドア９１横の壁９２に固定されるユニット取付具２と、ユニット取付具２に着脱自在に取り付けられるユニットカバー３と、ユニットカバー３にスマートリモコン８１の赤外線通信部８２が露出するリモコン用開口部４２を有するスマートリモコン８１が取り付けられる第１取付座４と、を備えることを特徴とする玄関ユニット１。【選択図】図２
2020084639.tif 000002
【特許請求の範囲】
【請求項１】
集合住宅の住戸の玄関ドア横の壁に固定されるユニット取付具と、
前記ユニット取付具に着脱自在に取り付けられるユニットカバーと、
前記ユニットカバーにスマートリモコンの赤外線通信部が露出するリモコン用開口部を有するスマートリモコンが取り付けられる第１取付座と、を備えることを特徴とする玄関ユニット。
【請求項２】
前記ユニットカバーに無線ＬＡＮアクセスポイントの無線ＬＡＮ通信部が露出する無線ＬＡＮ用開口部を有する無線ＬＡＮアクセスポイントが取り付けられる第２取付座をさらに備えることを特徴とする請求項１に記載の玄関ユニット。
【請求項３】
前記ユニット取付具は、下端に水受け部を備え、
前記ユニットカバーは、傘の鉤状の手元の先端を引っ掛ける傘掛けと、該傘掛けより下端側に前記水受け部に向かって傾斜する傾斜部とを備えることを特徴とする請求項１または２に記載の玄関ユニット。
【請求項４】
請求項１から３のいずれか一項に記載の玄関ユニットが、各住戸の玄関ドア横の壁に、各前記玄関ドアに対して１つずつ備えられていることを特徴とする集合住宅。
【請求項５】
電気幹線及びＬＡＮ幹線が引き込まれた収容室が、前記各住戸の玄関ドア横の壁に、前記各住戸に対して１つずつ備えられており、
各前記収容室と各前記玄関ユニットの内部とが、前記壁に埋設される電線管によってそれぞれ接続されていることを特徴とする請求項４に記載の集合住宅。
【発明の詳細な説明】
【技術分野】
【０００１】
本発明は、集合住宅の各住戸の玄関ドア横に設置される玄関ユニット、及び玄関ユニットを備えた集合住宅に関する。
【背景技術】
【０００２】
上記技術分野において、特許文献１には、集合住宅の各住戸における玄関ドアの戸先側の側方に固定配置される玄関ユニットをエントランスパネルとベースプレートに分離し、照明灯、室名札、インターホン子機、新聞受けといった玄関備品を取り付けるエントランスパネルを、ベースプレートに対して後付けできるようにした玄関ユニットが開示されている。
【０００３】
また、集合住宅の共用部には、特に共用部が屋内の場合に、エアコンや電動ロールスクリーンのような家電等の電気機器が設けられる場合がある。
【０００４】
一方、近年では、インターネット技術の進化等により、パソコンやスマートフォンなどのインターネット接続端末だけではなく、従来はインターネットに接続されていなかった様々なモノがインターネットへ接続され、相互に制御されるＩｏＴ（Ｉｎｔｅｒｎｅｔ  ｏｆ  Ｔｈｉｎｇｓ）が普及し始めている。ＩｏＴに対応した電気機器は、インターネットへ接続するための通信機能や各種運転状況をモニタリングするためのセンサ機能が搭載され、スマートフォン等の手元の端末をリモコンのようにして遠隔操作を行ったり、手元の端末で運転状況を確認したりすることが可能となる。しかしながら、エアコン等の家電の分野ではまだまだＩｏＴに対応した製品の普及は進んでおらず、現状のところ、家電の多くはインターネットに接続する機能を持たず、そのままでは遠隔操作することはできない。このようなインターネットに接続する機能を持たない家電を遠隔操作するために、様々な家電の赤外線リモコン信号を学習、記憶することができる学習リモコン端末をインターネットに接続し、インターネット経由で学習リモコン端末を遠隔操作することにより、家電を遠隔操作するという技術が知られている（例えば、特許文献２参照）。このようなインターネットに接続可能な学習リモコン端末は、一般的に、スマートリモコンと呼ばれ、既に複数のメーカーによって市販されている。
【先行技術文献】
【特許文献】
【０００５】
【特許文献１】特開２００８−１９６１１５号公報
【特許文献２】特開２０１４−１８３４３０号公報
【発明の概要】
【発明が解決しようとする課題】
【０００６】
集合住宅の共用部に設置されるエアコン等の電気機器は、通常、管理人によって操作される。管理人は、電気機器の設置場所まで行って直接操作する、または電気機器の近くまでいってその電気機器に対応した赤外線リモコンにより操作することによって電気機器を操作する必要があり、集合住宅の階数が多い場合等には労力も時間もかかってしまう。また、電気機器の操作端末を集合住宅内の一か所に集めて、電気機器の操作に対する労力や時間を省くことも考えられるが、電気機器から操作端末までの配線等のシステムの構築が複雑になってコストもかかり、電気機器を新たに増設した場合等にも対応することは難しい。この場合でも操作端末を集めた場所まで管理人が行って操作を行う必要がある。従って、管理人が常駐していないような集合住宅の場合には、日常的に共用部の電気機器の操作や調整を行うことができなかった。そのため、共用部に設置される電気機器を遠隔操作できるようにすることが望まれていた。
【０００７】
特許文献２に記載のようなスマートリモコンを利用することで、共用部の電気機器を遠隔操作することが考えられる。しかしながら、このようなスマートリモコンは、一般的に家庭内で用いられることが想定されているものである。スマートリモコンは赤外線通信によって電気機器を操作するが、赤外線は無線ＬＡＮ等で用いられる電波よりも周波数が高く、回折しにくいため、スマートリモコンの赤外線送信部と電気機器の赤外線受信部との間に障害物があると通信できない。従って、スマートリモコンは電気機器との間に障害物が無いような場所に設置される必要がある。家庭内で用いる場合は、周囲に障害物が無いような任意の場所にスマートリモコンを置くだけでよいので、簡単に設置することができ、設置場所の変更も簡単にできる。しかし、共用部にスマートリモコンを設置する場合には、共用部は不特定の複数の人が利用する場所であり、家庭内と同じようにスマートリモコンを置いておくだけでは、人がぶつかってスマートリモコンの位置がずれてしまったり、場合によっては盗まれたりする可能性もあるので、スマートリモコンは固定されて設置される必要がある。そのためには専用の固定具等を用いる等によってスマートリモコンの設置工事を行う必要があり、設置場所までの電気やＬＡＮの配線工事も行う必要がある。設置場所についても通行等の邪魔にならないようにする必要があり、共用部で設置場所を確保することも難しい。そして、一旦設置してしまうと、共用部の環境の変化によってスマートリモコンと電気機器の間に障害物が設けられたり、新たに電気機器を増設したり、電気機器を移設したりした場合等に、既存の設置されたスマートリモコンからの操作が出来なくなった場合に、新たに設置場所を確保してスマートリモコンの設置工事や配線工事を行う必要がある。このように、集合住宅の共用部では、スマートリモコンの設置場所の確保が難しく、また、電気機器の増設や移設等にも容易に対応できないという問題があった。
【０００８】
特許文献１に記載のような玄関ユニットは、集合住宅の各住戸の玄関ドア横に設けられるため、集合住宅の共用部に面した様々な場所に設けられることになる。しかし、従来の玄関ユニットに備えられる機能は、その玄関ユニットが設置される住戸の玄関まわりの機能に限定されており、共用部に対しての機能が備えられた玄関ユニットはこれまでに無かった。
【０００９】
本発明は上記事情に鑑みてなされたものであって、玄関ユニットが集合住宅の各住戸に設けられることに着目し、玄関ユニットを利用して集合住宅の共用部に設置される電気機器を遠隔操作可能にすること、そして、新たな電気機器を増設した場合や、電気機器の位置を変更した場合にも容易に対応できるようにすることを目的とする。
【課題を解決するための手段】
【００１０】
上記課題を解決するために、本発明に係る玄関ユニットは、集合住宅の住戸の玄関ドア横の壁に固定されるユニット取付具と、前記ユニット取付具に着脱自在に取り付けられるユニットカバーと、前記ユニットカバーにスマートリモコンの赤外線通信部が露出するリモコン用開口部を有するスマートリモコンが取り付けられる第１取付座と、を備えることを特徴とする。
【００１１】
好ましくは、前記ユニットカバーに無線ＬＡＮアクセスポイントの無線ＬＡＮ通信部が露出する無線ＬＡＮ用開口部を有する無線ＬＡＮアクセスポイントが取り付けられる第２取付座をさらに備えることを特徴とする。
【００１２】
好ましくは、前記ユニット取付具は、下端に水受け部を備え、前記ユニットカバーは、傘の鉤状の手元の先端を引っ掛ける傘掛けと、該傘掛けより下端側に前記水受け部に向かって傾斜する傾斜部とを備えることを特徴とする。
【００１３】
本発明に係る集合住宅は、本発明に係る玄関ユニットが、各住戸の玄関ドア横の壁に、各前記玄関ドアに対して１つずつ備えられていることを特徴とする。
【００１４】
好ましくは、本発明に係る集合住宅は、電気幹線及びＬＡＮ幹線が引き込まれた収容室が、前記各住戸の玄関ドア横の壁に、前記各住戸に対して１つずつ備えられており、各前記収容室と各前記玄関ユニットの内部とが、前記壁に埋設される電線管によってそれぞれ接続されていることを特徴とする。
【発明の効果】
【００１５】
本発明に係る玄関ユニットによると、集合住宅の住戸の玄関ドア横の壁に設置されて、第１取付座にはスマートリモコンを取り付けることができるので、スマートリモコンを住戸の外側に設置することができる。そのため、集合住宅の住戸の外側の共用部等に設置される赤外線通信によって操作可能な電気機器について、第１取付座にスマートリモコンを取り付けることによって遠隔操作を可能にすることができる。また、玄関ドア横の壁にはユニット取付具が固定されて、固定されたユニット取付具に対してユニットカバーが着脱自在な構成となっているため、ユニットカバーを取り外して、スマートリモコンの取り付けや、スマートリモコンへの電気やＬＡＮの配線作業を簡単に行うことができる。また、第１取付座はユニットカバーにスマートリモコンの赤外線通信部が露出するリモコン用開口部を有するので、第１取付座にスマートリモコンを取り付けた時に、スマートリモコンの赤外線通信部から送信される赤外線がユニットカバーによって遮断されることがなく、赤外線通信によって操作可能な電気機器を遠隔操作できるようになっている。
【００１６】
好ましくは、無線ＬＡＮアクセスポイントが取り付けられる第２取付座をさらに備えるので、無線ＬＡＮアクセスポイントも住戸の外側に設置することができる。そのため、住戸の外側の共用部等に設置される無線ＬＡＮによって操作可能な電気機器について、第２取付座に無線ＬＡＮアクセスポイントを取り付けることによって遠隔操作を可能にすることができる。また、第２取付座はユニットカバーに無線ＬＡＮアクセスポイントの無線ＬＡＮ通信部が露出する無線ＬＡＮ用開口部を有するので、第２取付座に無線ＬＡＮアクセスポイントを取り付けた時に、無線ＬＡＮアクセスポイントの無線ＬＡＮ通信部による電波の送受信がユニットカバーによって遮断されることがなく、無線ＬＡＮによって操作可能な電気機器を遠隔操作できるようになっている。
【００１７】
好ましくは、ユニット取付具は、下端に水受け部を備え、ユニットカバーは、傘の鉤状の手元の先端を引っ掛ける傘掛けと、該傘掛けより下端側に水受け部に向かって傾斜する傾斜部とを備えるため、傘掛けに傘の手元を掛けると、傘の本体の先端は傾斜部の傾斜にそって水受け部の範囲内に収まるようになっており、傘の雨水を玄関前の床に落とさずに床面のシミやカビの発生を防止することができる。また、傘掛けは、傘の手元の先端を引っ掛けることができればよいので、ユニットカバーからの出幅を小さくすることができる。また、水受け部はユニット取付具の下端に設けられて、出幅をユニット取付具の範囲内で収めることができるので、限られた玄関ユニットの出幅内で水受けを設けることができる。
【００１８】
本発明に係る集合住宅は、本発明に係る玄関ユニットが、各住戸の玄関ドア横の壁に、各前記玄関ドアに対して１つずつ備えられているため、共用部に複数の本発明に係る玄関ユニットが設置されることになり、共用部に設けられた赤外線通信によって操作可能な電気機器や無線ＬＡＮによって操作可能な電気機器の設置場所に応じて、適切な位置にある玄関ユニットにスマートリモコンや無線ＬＡＮアクセスポイントを取り付けることができるので、簡単に共用部の電気機器の遠隔操作を可能にすることができる。また、新たに共用部に電気機器を設置したり、既設の電気機器の配置を変更する場合でも、新たな設置場所に対応して、複数の玄関ユニットの中から適切な玄関ユニットに、スマートリモコンや無線ＬＡＮアクセスポイントを取り付ければよいので、共用部の電気機器の増設や移設等にも簡単に対応することができる。
【００１９】
好ましくは、本発明に係る集合住宅は、電気幹線及びＬＡＮ幹線が引き込まれた収容室が、各住戸の玄関ドア横の壁に、各住戸に対して１つずつ備えられており、各収容室と各玄関ユニットとが、壁に埋設される電線管によってそれぞれ接続されているため、スマートリモコンや無線ＬＡＮアクセスポイントを玄関ユニットに取り付ける際に、収容室の電気幹線及びＬＡＮ幹線から電線管を介して玄関ユニットまで電気及びＬＡＮの配線を通すことができるので、スマートリモコンや無線ＬＡＮアクセスポイントに対して電気及びＬＡＮの配線を簡単に行うことができる。そのため、共用部の電気機器の増設や移設等にも簡単に対応することができる。
【図面の簡単な説明】
【００２０】
【図１】本発明の一実施形態に係る玄関ユニットの正面図。
【図２】本発明の一実施形態に係る玄関ユニットの分解斜視図。
【図３】本発明の一実施形態に係る玄関ユニットの断面側面図で、図１のＡ−Ａ矢視図。
【図４】本発明の一実施形態に係る玄関ユニットの断面側面図で、図３の下部の拡大図。傘掛けに傘を掛けた時の傘の挙動を示す。
【図５】本発明の一実施形態に係る集合住宅の共用廊下の斜視図。
【発明を実施するための形態】
【００２１】
本発明の一実施形態について、以下、図面を参照しつつ説明する。図１に示すように、本発明に係る玄関ユニット１は、集合住宅の各住戸の玄関ドア９１横の共用廊下の壁９２に設置される。玄関ユニット１は、照明灯１１、室名札１２、表札１３、インターホン子機１４、及び傘掛け６を備え、各住戸の玄関まわりに必要とされる機能が一体に集約されたものとなっている。また、玄関ユニット１は、スマートリモコン８１を取り付けることができる第１取付座４と無線ＬＡＮアクセスポイント８３を取り付けることができる第２取付座５とを備える。
【００２２】
図２に示すように、玄関ユニット１は、玄関ドア９１横の共用廊下の壁９２に固定されるユニット取付具２と、ユニット取付具２に着脱自在に取り付けられるユニットカバー３とによって構成されている。ユニット取付具２は、鉛直方向に長手状の背面板部２１と、背面板部２１の両長辺から背面板部２１に対して略垂直に延出した２つの側板部２２とを有し、水平方向断面略コ字状になっている。ユニットカバー３は、鉛直方向に長手状の表面板部３１と、表面板部３１の両長辺から表面板部３１に対して略垂直に延出した２つの側板部３２とを有し、水平方向断面略コ字状になっている。
【００２３】
ユニットカバー３の２つの側板部３２の内側面の間の距離は、ユニット取付具２の２つの側板部２２の外側面の間の距離と略等しく、ユニットカバー３はユニット取付具２に外嵌できるようになっている。ユニットカバー３の側板部３２には貫通孔３９が、ユニット取付具２の側板部２２にはネジ孔２９が、それぞれ対応する位置に設けられており、ユニットカバー３をユニット取付具２に外嵌して貫通孔３９を介してネジ孔２９にネジを螺合することによって、ユニットカバー３がユニット取付具２に取り付けられる。ユニットカバー３がユニット取付具２に取り付けられた状態で、ユニットカバー３の表面板部３１とユニット取付具２の背面板部２１との間には空間が形成されており、この空間にインターホン子機１４等を収容できるようになっている。
【００２４】
ユニット取付具２の背面板部２１には、貫通孔２８が設けられており、背面板部２１を共用廊下の壁９２に当接させ、貫通孔２８を介してネジや釘を壁９２に打ち込むことで、ユニット取付具２が壁９２に固定される。壁９２には、ユニット取付具２が固定される位置に、壁面開口部９３が設けられており、壁面開口部９３は、壁９２内に埋設される電線管９４を挿通できるような大きさになっている。また、壁９２には、玄関ユニット１の取り付けに邪魔にならないような、玄関ドア９１付近の位置に、メーターボックス９５が設けられている。メーターボックス９５は、各住戸に対する水道、ガス、電気等のメーターがまとめて収容されるような空間で、各住戸に対してそれぞれ設けられている。本実施形態では、集合住宅内に電気を供給する電気幹線は、各階に設置された分電盤等を介して各メーターボックス９５までそれぞれ引き込まれ、各メーターボックス９５から各住戸へ個別に電気配線が行われるという構成になっている。また、集合住宅内のＬＡＮを構築するＬＡＮ幹線についても、各メーターボックス９５まで一旦配線されて、そこから各住戸へＬＡＮの配線が行われるという構成になっている。電線管９４は、壁９２内に埋設されて、壁９２内でメーターボックス９５と壁面開口部９３とを接続しており、電気やＬＡＮの配線を中に通すことができるようになっている。電線管９４には、例えば、可とう管であるＣＤ管（Ｃｏｍｂｉｎｅｄ  Ｄｕｃｔ）等が用いられる。ユニット取付具２の背面板部２１は開口部２４を備え、壁９２にユニット取付具２を固定した際に、開口部２４内に壁面開口部９３が位置するようになっており、メーターボックス９５から電線管９４を通して玄関ユニット１の内部まで、電気やＬＡＮの配線を通すことができるようになっている。本実施形態では、玄関ユニット１の内部とメーターボックス９５とが電線管９４によって接続されているが、メーターボックス９５ではなく、パイプスペースに集合住宅の電気幹線やＬＡＮ幹線が通されている場合は、電線管９４でパイプスペースと玄関ユニット１とを接続するようにする。電気幹線やＬＡＮ幹線が引き込まれている収容室と玄関ユニット１とがそれぞれ電線管９４で接続されるようになっていればよい。
【００２５】
ユニットカバー３の表面板部３１には、図２に示すように、上から順に、第１取付座４、第２取付座５、照明灯１１、室名札１２、表札１３、インターホン子機１４、及び傘掛け６が設けられる。
【００２６】
第１取付座４は、リモコン取付具４１と、リモコン用開口部４２とを備え、スマートリモコン８１を取り付けることができるようになっている。スマートリモコン８１は、赤外線通信部８２を備えたインターネットに接続可能な学習リモコン端末であり、赤外線通信によってリモコン操作可能な様々な電気機器に対しての赤外線信号を記憶、学習することができるものである。スマートリモコン８１をインターネットに接続することで、インターネット経由でスマートリモコン８１に送られてきた電気機器に対しての命令を、その電気機器に対しての赤外線信号に変換して、赤外線通信部８２から赤外線信号を送信することができる。リモコン取付具４１は、矩形薄板を折り曲げて略中央に凹部を形成したような形状となっており、その凹部にスマートリモコン８１を嵌め込んで、凹部に設けられた貫通孔４３を介してネジ止めすることで、スマートリモコン８１を固定できるようになっている。また、リモコン取付具４１の両端部にはそれぞれネジ孔４４が設けられている。リモコン用開口部４２は、表面板部３１に設けられた開口部であり、スマートリモコン８１を挿通できるような大きさになっている。リモコン取付具４１に固定したスマートリモコン８１を、表面板部３１の裏面側からリモコン用開口部４２の位置に合わせるようにして、リモコン取付具４１のネジ孔４４が設けられている両端部を表面板部３１の裏面に当接させ、ネジ孔４４に対応する位置に設けられている表面板部３１の貫通孔４５を介してネジ孔４４にネジを螺合することによって、リモコン取付具４１が表面板部３１に取り付けられる。この時、図３に示すように、スマートリモコン８１の赤外線通信部８２が、表面板部３１よりも表面側に突出するようになっており、赤外線通信部８２が表面板部３１に覆い隠されて、赤外線通信部８２からの赤外線信号の送信が表面板部３１によって遮られないようになっている。
【００２７】
第２取付座５は、無線ＬＡＮ取付具５１と、無線ＬＡＮ用開口部５２とを備え、無線ＬＡＮアクセスポイント８３を取り付けることができるようになっている。無線ＬＡＮアクセスポイント８３は、無線ＬＡＮ通信部８４を備え、無線ＬＡＮに対応した様々な機器と、電波によって無線で相互に通信可能な端末である。無線ＬＡＮ通信部８４が電波の送受信を行う部位となっている。無線ＬＡＮアクセスポイント８３が、インターネットに接続されることで、無線ＬＡＮに対応した電気機器は、無線ＬＡＮアクセスポイント８３を介してインターネットに接続できるようになっている。無線ＬＡＮ取付具５１は、矩形薄板を折り曲げて略中央に凹部を形成したような形状となっており、その凹部に無線ＬＡＮアクセスポイント８３を嵌め込んで、凹部に設けられた貫通孔４３を介してネジ止めすることで、無線ＬＡＮアクセスポイント８３を固定できるようになっている。また、無線ＬＡＮ取付具５１の両端部にはそれぞれネジ孔５４が設けられている。無線ＬＡＮ用開口部５２は、表面板部３１に設けられた開口部であり、無線ＬＡＮアクセスポイント８３を挿通できるような大きさになっている。無線ＬＡＮ取付具５１に固定した無線ＬＡＮアクセスポイント８３を、表面板部３１の裏面側から無線ＬＡＮ用開口部５２の位置に合わせるようにして、無線ＬＡＮ取付具５１のネジ孔５４が設けられている両端部を表面板部３１の裏面に当接させ、ネジ孔５４に対応する位置に設けられている表面板部３１の貫通孔５５を介してネジ孔５４にネジを螺合することによって、無線ＬＡＮ取付具５１が表面板部３１に取り付けられる。この時、図３に示すように、無線ＬＡＮアクセスポイント８３の無線ＬＡＮ通信部８４が、表面板部３１よりも表面側に突出するようになっており、無線ＬＡＮ通信部８４が表面板部３１に覆い隠されて、無線ＬＡＮ通信部８４の電波の送受信が表面板部３１によって遮られないようになっている。
【００２８】
第１取付座４及び第２取付座５は、それぞれスマートリモコン８１及び無線ＬＡＮアクセスポイント８３を玄関ユニット１に着脱自在に取り付けることができ、取り付けた際に、スマートリモコン８１の赤外線通信部８２及び無線ＬＡＮアクセスポイント８３の無線ＬＡＮ通信部８４がユニットカバー３によって覆い隠されないような構成となっていればよい。例えば、本実施形態のように、リモコン取付具４１及び無線ＬＡＮ取付具５１が、ユニットカバー３に取り付けられるのではなく、ユニット取付具２の背面板部２１に取り付けられるようにして、スマートリモコン８１及び無線ＬＡＮアクセスポイント８３をリモコン取付具４１及び無線ＬＡＮ取付具５１によって背面板部２１側に固定し、ユニットカバー３をユニット取付具２に取り付けた際に、ユニットカバー３の表面板部３１のリモコン用開口部４２及び無線ＬＡＮ用開口部５２から赤外線通信部８２及び無線ＬＡＮ通信部８４が表面板部３１より表面側に突出するように構成する等でもよい。また、例えば、第１取付座４及び第２取付座５を、ユニットカバー３の表面板部３１に設けたネジ用貫通孔及び配線用貫通孔によってそれぞれ構成し、スマートリモコン８１及び無線ＬＡＮアクセスポイント８３を表面板部３１の表面側に直接取り付けてネジ用貫通孔を介してネジ固定し、配線用貫通孔を介してユニットカバー３の内側から電気及びＬＡＮの配線を行うようにしてもよい。この場合は、スマートリモコン８１及び無線ＬＡＮアクセスポイント８３はユニットカバー３の表面側に取り付けられるので、赤外線通信部８２及び無線ＬＡＮ通信部８４は露出している。
【００２９】
スマートリモコン８１と無線ＬＡＮアクセスポイント８３とは、共用部に設置される電気機器を操作するために設けられるもので、玄関ユニット１が設置される住戸に対する機能を果たすものではないため、また、共用廊下を通行する人等によって赤外線通信が遮られることを防ぐため、第１取付座４及び第２取付座５は、なるべく目立たず邪魔にならないような玄関ユニット１の上端部付近に設けられる方が好ましい。第１取付座４及び第２取付座５の位置は逆でもよいし、玄関ユニット１の幅が十分とれる場合には、横に並べる等でもよい。また、無線ＬＡＮアクセスポイントとしての機能を併せて備えるようなスマートリモコン８１を用いる場合には、第２取付座５を設けずに第１取付座４のみを設けるようにしてもよい。第１取付座４及び第２取付座５には、必ずしもスマートリモコン８１及び無線ＬＡＮアクセスポイント８３が取り付けられるわけではないため、取り付けられない場合には、例えば、リモコン用開口部４２や無線ＬＡＮ用開口部５２を塞ぐことができるような大きさの薄板を用いて、貫通孔４５や貫通孔５５に対応した位置に薄板にも貫通孔を設けて、表面板部３１とリモコン取付具４１や無線ＬＡＮ取付具５１との間にその薄板を挟んでネジ止めする等によって、リモコン用開口部４２や無線ＬＡＮ用開口部５２を塞いでおくようにしてもよい。
【００３０】
照明灯１１、室名札１２、表札１３、インターホン子機１４、及び傘掛け６は、それぞれ玄関ユニット１が設置される住戸に対しての機能をもつ構成要素であり、これらは必要に応じて設けられればよく、例えば、表札１３が必要ない場合には設けられなくてもよい。また、本実施形態では示していないが、例えば、他に新聞受けが必要な場合には、新聞受けを設けるようにしてもよい。これらの構成要素の配置の順番に関しても、適宜配置されればよい。
【００３１】
照明灯１１は、表面板部３１の表面側に表面板部３１に設けられた貫通孔を介してネジ止めされている。また、表面板部３１の照明灯１１が取り付けられる位置には貫通孔１５が設けられており、玄関ユニット１の内部の電気配線を、貫通孔１５を介して照明灯１１に接続することができるようになっている。室名札１２及び表札１３は、それぞれ両端部に貫通孔を備え、表面板部３１にはそれらの貫通孔に対応した位置にネジ孔が設けられており、表面板部３１の表面側にネジ止めされる。インターホン子機１４は、インターホン取付具１６に取り付けられ、そのインターホン取付具１６を表面板部３１に取り付けることによって、インターホン子機１４が表面板部３１に取り付けられる。
【００３２】
傘掛け６は、表面板部３１に取り付けられる略直方体状の本体部６１と、本体部６１の上面の表面板部３１側の辺に対向する辺から略垂直上方に延出する掛止部６２とを備え、断面略Ｌ字状となっている。傘掛け６が表面板部３１に取り付けられた際に、表面板部３１と掛止部６２との間の間隔は、傘６５の手元６６の太さよりも大きくなっており、表面板部３１と、傘掛け６の本体部６１及び係止部６２とによって形成される凹部に傘の手元の先端を引っ掛けることができるようになっている。
【００３３】
傘掛け６が設けられる場合、図１−図３に示すように、ユニット取付具２の下端部に水受け部２５と、ユニットカバー３の表面板部３１の下端部に傾斜部３５と、が設けられる。水受け部２５は、ユニット取付具２の背面板部２１と、２つの側板部２２と、背面板部２１の下端辺から背面板部２１に略垂直に側板部２２と略同じ長さ延出する底板部２６と、底板部２６の延出端辺から略垂直上方に延出する縦板部２７と、によって構成され、上向きに開口し、底板部２６の上面から縦板部２７の高さまで水を貯留することができるようになっている。傾斜部３５は、鉛直方向に設けられる表面板部３１の下端部に形成され、表面板部３１をユニット取付具２の背面板部２１側に折り曲げたような形になっており、表面板部３１の鉛直部と傾斜部３５とのなす角が鈍角になるようになっている。傾斜部３５は、表面板部３１に設けられる傘掛け６よりも下部に設けられる。ユニットカバー３をユニット取付具２に取り付けた際に、図１、図３に示すように、傾斜部３５は、ユニット取付具２の背面板部２１と２つの側板部２２とによって形成される凹部に嵌め込まれるような形になっており、ユニット取付具２の水受け部２５の開口が露出するようになっている。
【００３４】
図４は、傘掛け６に傘６５を掛けた時の様子を示している。傘６５は、手で把持する部位である手元６６と、手元６６から直線状に伸びる本体部６７とを備える。手元６６は、鉤状に形成されており、手元６６の本体部６７との接続部から手元６６の中途部までは本体部６７の中心軸に略平行に直線状に伸び、中途部から半円を描いたような形状となっており、手元６６の先端部は本体部６７の中心軸からずれた位置となっている。図４（ａ）に示すように、傘掛け６に傘６５の手元６６の先端を引っ掛けると、傘６５の重量は傘掛け６と接する手元６６の先端部に掛かり、手元６６の先端部が傘６５の重量を支える支点Ｆとなる。傘６５の重心Ｇは本体部６７の中間部付近に存在するが、手元６６の先端部は傘６５の中心軸から外れた位置となっている。そのため、傘掛け６に傘６５を掛けると、図４（ｂ）に示すように、傘掛け６に掛止される手元６６の先端部の支点Ｆを中心として、支点Ｆを通る鉛直線上に傘６５の重心Ｇが一致する方向に、つまり、傘６５の本体部６７がユニットカバー３に近づく方向に、傘６５が回転する。
【００３５】
ユニットカバー３の表面板部３１の下端部は傾斜部３５となっているので、図４（ｂ）に示すように、回転した傘６５の本体部６７の先端部は、傘掛け６が取り付けられている表面板部３１の鉛直部よりも内側に入り込み、ユニット取付具２の水受け部２５の範囲内に収まるようになっている。傘６５に付着した雨水は、傘６５が傘掛け６に掛けられた際に最も下部に位置する本体部６７の先端部まで流れ、本体部６７が水受け部２５の範囲内に収まるようになっているので、水受け部２５に落下する。また、傘６５と当接して表面板部３１に付着した雨水は、傾斜部３５に流れて傾斜部３５から水受け部２５に落下する。従って、本実施形態に係る玄関ユニット１によると、傘掛け６は、傘６５の手元６６の先端部を引っ掛けることができればよいので、傘掛け６の表面板部３１からの出幅を小さくすることができる。また、水受けのために新たなスペースを必要とすることなく、各住戸の玄関ドア横に設けられるべき玄関ユニット１の出幅の範囲内に水受け部２５を設けることができる。そして、傘掛け６に掛けた傘に付着した雨水は、水受け部２５に流れ込むような構成となっているので、共用廊下の床が雨水で濡れることを防ぐことができる。このような水受けが設けられずに玄関ドア横に傘掛けが設けられると、傘に付着した雨水が共用廊下の床に落ちるので、シミやカビの原因となったり、玄関ドア横に水たまりが出来て、住人等が滑って転倒する危険性もある。
【００３６】
次に、図５に示すように、玄関ユニット１を各住戸の玄関ドア９１横の壁９２に備えた本実施形態に係る集合住宅１００において、共用部に設置される電気機器がどのように遠隔操作されるかについて例示的に説明する。集合住宅１００は、少なくとも１つの共用廊下９０を備え、複数の住戸が共用廊下９０に沿って設けられており、共用廊下９０と各住戸との界壁となる壁９２には、各住戸が備える玄関ドア９１がそれぞれ間隔を空けて並設されている。また、各玄関ドア９１の傍の壁９２には、それぞれメーターボックス９５が備えられている。玄関ユニット１は、各玄関ドア９１の横の壁９２の壁面にそれぞれ設置される。集合住宅１００内の電気幹線及びＬＡＮ幹線は、各メーターボックス９５まで配線されており、各玄関ドア９１に帰属するメーターボックス９５と玄関ユニット１とは、それぞれ壁９２に埋設される電線管９４によって接続されている。
【００３７】
図５は、屋内の共用廊下９０に、赤外線通信に対応した電気機器であるエアコン８５と、無線ＬＡＮ通信に対応した電気機器である無線ディスプレイ８７が設置されている様子を示す。エアコン８５は、共用廊下９０の気温や湿度を調整するために設けられる電気機器であり、スマートリモコン８１による赤外線信号によって操作可能となっている。無線ディスプレイ８７は、管理人が集合住宅１００の住人に対して情報を発するためのデジタル掲示板として用いることができる電気機器であり、無線ＬＡＮアクセスポイント８３と無線で通信可能となっている。図５では、共用廊下９０は、壁９６によって突き当りとなっており、壁９６には窓９７が設けられている。壁９２の壁９６側には、玄関ドア９１ａ、メーターボックス９５ａ及び玄関ユニット１ａが設けられ、その隣に、玄関ドア９１ｂ、メーターボックス９５ｂ及び玄関ユニット１ｂが設けられている。玄関ドア９１ａ及び玄関ドア９１ｂ、メーターボックス９５ａ及びメーターボックス９５ｂ、並びに玄関ユニット１ａ及び玄関ユニット１ｂは、それぞれ玄関ドア９１、メーターボックス９５、及び玄関ユニット１と同じ構成のものである。また、共用廊下９０には天井９８が設けられており、天井９８は、玄関ドア９１ａ及び玄関ドア９１ｂとの間の位置に、天井９８から下部に突出した突出部９９を有している。エアコン８５は、突出部９９よりも玄関ドア９１ｂ側の天井９８に設置されている。無線ディスプレイ８７は、玄関ドア９１ａと玄関ドア９１ｂとの間の壁９２に設置されている。
【００３８】
玄関ユニット１ａの第１取付座４ａ及び玄関ユニット１ｂの第１取付座４ｂには、スマートリモコン８１が取り付け可能となっており、玄関ユニット１ａの第２取付座４ｂ及び玄関ユニット１ｂの第２取付座５ｂには、無線ＬＡＮアクセスポイント８３が取り付け可能となっている。玄関ユニット１ａ及びメーターボックス９５ａと、玄関ユニット１ｂ及びメーターボックス９５ｂとはそれぞれ電線管９４で接続されているため、第１取付座４ａ及び第１取付座４ｂのどちらにスマートリモコン８１が取り付けられても、メーターボックス９５ａまたはメーターボックス９５ｂに引き込まれている電気幹線及びＬＡＮ幹線からの配線を電線管９４を通してスマートリモコン８１に接続することができる。そのため、スマートリモコン８１は集合住宅１００内のＬＡＮに接続され、赤外線通信に対応した電気機器をインターネット経由で遠隔操作することが可能となる。無線ＬＡＮアクセスポイント８３についても同様に、第２取付座５ａ及び第２取付座５ｂのどちらに取り付けられても集合住宅１００内のＬＡＮに接続され、無線ＬＡＮに対応した電気機器をインターネット経由で遠隔操作することが可能となる。
【００３９】
エアコン８５は、第１取付座４ａ及び第１取付座４ｂのどちらからも、スマートリモコン８１の赤外線通信可能な距離の範囲内となるような位置に設置されている。しかし、図５に示すように、第１取付座４ａとエアコン８５とを結ぶ直線上には突起部９９が存在している。スマートリモコン８１の赤外線通信で用いられる赤外線は、直進性が高く、途中に突起部９９のような障害物が存在する場合は、障害物で遮断されてしまい、障害物の向こう側にある電気機器と通信することが困難となる。従って、エアコン８５との間に障害物が無い第１取付座４ｂにスマートリモコン８１を取り付けることにより、エアコン８５の遠隔操作が可能となる。天井９８に突起部９９が無い場合には、第１取付座４にスマートリモコン８１を取り付けるようにしてもよい。
【００４０】
無線ディスプレイ８７は、第２取付座５ａ及び第２取付座５ｂのどちらからも、無線ＬＡＮアクセスポイント８３の無線ＬＡＮ通信可能な距離の範囲内となるような位置に設置されている。従って、無線ＬＡＮアクセスポイント８３は、第２取付座５ａ及び第２取付座５ｂのどちらに取り付けられても、無線ディスプレイ８７の遠隔操作が可能となる。図５では、第１取付座４ｂにスマートリモコン８１が取り付けられているため、配線やメンテナンス等を同時に行える第２取付座５ｂに無線ＬＡＮアクセスポイント８３が取り付けられている。
【００４１】
以上のような構成に加え、新たに窓９７に赤外線通信に対応した電動ロールスクリーン８９を増設する場合を考える。電動ロールスクリーン８９は、窓９７から共用廊下９０に差し込む光を遮光したり、外から共用廊下９０が見えないようにするために用いられる電気機器である。第１取付座４ｂには電動ロールスクリーン８９を操作可能なスマートリモコン８１が取り付けられているが、図５に示すように、第１取付座４ｂと電動ロールスクリーン８９とを結ぶ直線上には、突起部９９が存在しているため、第１取付座４ｂの既存のスマートリモコン８１では操作できない。しかし、第１取付座４ａと電動ロールスクリーン８９とを結ぶ直線上には障害物は存在しないため、第１取付座４ａに新たにスマートリモコン８１を取り付けることによって電動ロールスクリーン８９を遠隔操作することが可能となる。また、電動ロールスクリーン８９が赤外線通信ではなくて、無線ＬＡＮに対応している場合は、第２取付部５ｂと電動ロールスクリーン８９とを結ぶ直線上に突起部９９が存在する場合でも、無線ＬＡＮ通信で用いられる電波は、赤外線よりも波長が長く、突起部９９のような障害物があっても回折して、障害物を回り込んで障害物の向こう側まで届きやすいため、第２取付部５ｂに取り付けられている既存の無線ＬＡＮアクセスポイント８３によって対応できる。第２取付部５ｂと電動ロールスクリーン８９との位置が遠い場合や、突起部９９が共用廊下９０を塞ぐように大きい場合等、第２取付部５ｂの無線ＬＡＮアクセスポイント８３からの電波が電動ロールスクリーン８９まで届きにくい場合には、電動ロールスクリーン８９との距離が近く、間に障害物が無い第２取付座５ａに新たに無線ＬＡＮアクセスポイント８３を増設したり、第２取付座５ａと無線ディスプレイ８７との間にも障害物は存在しないので、第２取付座５ｂに取り付けられている無線ＬＡＮアクセスポイント８３を第２取付座５ａに移設するようにしてもよい。なお、天井９８に設けられている突起部９９は、赤外線通信の妨げとなる障害物がある場合について説明するために用いただけであり、本発明に係る集合住宅１００の共用廊下９０の天井９８に必ず突起部９９が設けられるわけではない。
【００４２】
以上のように、本実施形態に係る集合住宅１００では、各住戸の玄関ドア９１横の壁９２に玄関ユニット１が設置されており、玄関ドア９１横の壁９２は、共用廊下９０のような共用部であるため、共用部に複数の玄関ユニット１が配置されているような構成となっている。各玄関ユニット１は、スマートリモコン８１を取り付け可能な第１取付座４及び無線ＬＡＮアクセスポイント８３を取り付け可能な第２取付座５を備えているため、共用部に設けられるエアコン８５のような赤外線通信に対応した電気機器は、その電気機器と赤外線通信が可能な位置に存在する少なくとも１つの玄関ユニット１の第１取付座４にスマートリモコン８１が取り付けられることによって、インターネットを経由した遠隔操作が可能となっている。共用部に設けられる無線ディスプレイ８７のような無線ＬＡＮに対応した電気機器は、その電気機器と無線ＬＡＮ通信が可能な位置に存在する少なくとも１つの玄関ユニット１の第２取付座５に無線ＬＡＮアクセスポイント８３が取り付けられることによって、インターネットを経由した遠隔操作が可能となっている。そのため、集合住宅１００に管理人が常駐していないような場合でも、管理人が共用部に設置される電気機器を適切に遠隔操作することで、集合住宅１００の住人へのサービス向上を図ることができる。
【００４３】
また、既に設置されているスマートリモコン８１や無線ＬＡＮアクセスポイント８３では通信できないような位置に、新たに電気機器を設置したり、既存の電気機器を移動させるような場合でも、玄関ユニット１は共用部に複数設けられているので、増設や移設された電気機器と通信可能な位置に存在する少なくとも１つの玄関ユニット１に、スマートリモコン８１や無線ＬＡＮアクセスポイント８３を新たに増設する、または既存のスマートリモコン８１や無線ＬＡＮアクセスポイント８３を移設することによって、増設や移設された電気機器にも対応して遠隔操作が可能となっている。
【００４４】
玄関ユニット１は、壁９２にユニット取付具２が固定されて、ユニット取付具２に対してユニットカバー３が着脱自在となっている構成のため、ユニットカバー３をユニット取付具２から取り外して、スマートリモコン８１や無線ＬＡＮアクセスポイント８３を第１取付座４や第２取付座５に取り付けることが簡単にできるようになっている。そして、各玄関ユニット１は、電気幹線及びＬＡＮ幹線が引き込まれているメーターボックス９５と電線管９４によって接続されているため、玄関ユニット１に新たにスマートリモコン８１や無線ＬＡＮアクセスポイント８３を取り付けた場合にも、スマートリモコン８１や無線ＬＡＮアクセスポイント８３への電気及びＬＡＮの配線を簡単に行うことができるようになっている。
【００４５】
共用部に設置される電気機器は、エアコン８５や電動ロールスクリーン８９のような家電製品が多く、現状では、このような家電製品は、無線ＬＡＮに対応しているものは少なく、ほとんどが赤外線通信に対応しているため、玄関ユニット１には、スマートリモコン８１を取り付けることができる第１取付座４を設けて、無線ＬＡＮアクセスポイント８３を取り付けるための第２取付座５を設けないようにしてもよい。しかし、現状でも、無線ディスプレイ８７のような無線ＬＡＮに対応した電気機器が共用部に設けられる場合があり、また、今後は無線ＬＡＮに対応した家電製品も増えていくと考えられるため、玄関ユニット１には第２取付座５が設けられている方が好ましい。
【００４６】
上記はあくまで本発明の実施形態を例示的に示したものであるため、本発明の範囲は上記実施形態のみに限定されるものではなく、本発明の思想を逸脱しない範囲で適宜変更可能である。
【符号の説明】
【００４７】
１      玄関ユニット
２      ユニット取付具
３      ユニットカバー
４      第１取付座
５      第２取付座
６      傘掛け
２５    水受け部
３５    傾斜部
４２    リモコン用開口部
５２    無線ＬＡＮ用開口部
８１    スマートリモコン
８２    赤外線通信部
８３    無線ＬＡＮアクセスポイント
８４    無線ＬＡＮ通信部
８５    エアコン（赤外線通信対応の電気機器）
８７    無線ディスプレイ（無線ＬＡＮ対応の電気機器）
８９    電動ロールスクリーン（赤外線通信対応の電気機器）
９０    共用廊下（共用部）
９１    玄関ドア
９２    壁
９４    電線管
９５    メーターボックス（収容室）
【図１】
2020084639.tif 000003
【図２】
2020084639.tif 000004
【図３】
2020084639.tif 000005
【図４】
2020084639.tif 000006
【図５】
2020084639.tif 000007